(57)【要約】【課題】      下腿を安定載置させることができると共に該下腿に快適なマッサージを施し得る押圧施療子を有し、マッサージ時に不快な痛みを感じることがなく、且つ通常の椅子としての使い心地が良く、デザイン性の高いオットマンを備えたマッサージ椅子を提供する。【解決手段】  マッサージ椅子Ａのオットマン６の骨組み形状を形成する筐体フレーム１１を、この幅方向に長孔状の上面開口溝１６ａが穿設された天板１１ａとその底面を閉塞し得る底板１９とを有する構成にし、該筐体フレーム１１内部に、前記天板１１ａの上面開口溝１６ａ下部位置にその先端が臨み得るよう配備されて該上面開口溝１６ａから上方へ出没し得る横長で広範囲の押圧線（線状の押圧面）を有する押圧施療子１５と、該押圧施療子１５の下部に配備されて押圧施療子１５を上下方向に出没させるよう膨縮するエアバッグ１８が介設してある構成とする。【選択図】    図１５
2008167767.tif 000002
【特許請求の範囲】
【請求項１】
腰掛けの後部に起立状態から倒伏状態へ起倒自在に設けられた背凭れを配備すると共に、該腰掛けの前部に垂下状態から突出状態へ出没自在に設けられたオットマンを配備したマッサージ椅子であって、
該マッサージ椅子のオットマンは、オットマンの骨組み形状を形成する天板と底板とを有する筐体フレームと、該筐体フレームの少なくとも上面に敷設されるクッション層と、これら筐体フレーム及びクッション層を被覆せしめた外装カバーとを備えたものであり、
前記筐体フレームは、その幅方向に長孔状の上面開口溝が穿設された天板と該天板の底面を閉塞し得る底板とを有し、
該天板と底板間の内部には、前記天板の上面開口溝下部位置にその先端が臨み得るよう配備されて該上面開口溝から上方へ出没し且つ前記筐体フレームの幅方向における施療者の左右両下腿に当接する長さの押圧線（線状の押圧面）を有する押圧施療子と、該押圧施療子の下部に配備されて該押圧施療子を上下方向に出没させるよう膨縮するエアバッグとが介設してある事を特徴とするマッサージ椅子。
【請求項２】
前記オットマンの筐体フレームは、その幅方向に穿設された上面開口溝が長さ方向に二以上設けられた天板と該天板の底面を閉塞し得る底板とを有するものであり、
該天板の各上面開口溝の下部位置には、各上面開口溝に先端が臨み得るよう配備された前記押圧施療子が各々介設されているものである事を特徴とする請求項1記載のマッサージ椅子。
【請求項３】
前記オットマンの上面開口溝の左右には、押圧施療子を上下動可能に保持し得るガイド溝を備えた一対の案内ガイドが設けられている事を特徴とする請求項1又は請求項２記載のマッサージ椅子。
【請求項４】
前記オットマンの上面開口溝の内部周縁には、押圧施療子を上下動可能に保持すると共にその出没範囲を規制し得るガイド壁を備えた案内ガイドが設けられている事を特徴とする請求項1又は請求項２記載のマッサージ椅子。
【請求項５】
前記オットマンの押圧施療子は、その下部に配備されたエアバッグによる出没を安定させると共にその出没範囲を規制し得る載置台が一体的に設けられているものである事を特徴とする請求項1又は請求項２記載のマッサージ椅子。
【請求項６】
前記マッサージ椅子のオットマンは、オットマンが垂下状態以外の位置で前後方向にスライド移動可能である事を特徴とする請求項１乃至請求項５のいずれか記載のマッサージ椅子。
【発明の詳細な説明】
【技術分野】
【０００１】
本発明はマッサージ椅子に係り、詳しくは、下腿を安定載置させることができると共に該下腿に快適なマッサージを施し得る押圧施療子を有するオットマンを備えたマッサージ椅子に関するものである。
【背景技術】
【０００２】
従来より、マッサージ椅子に下腿を載置し得るオットマンを備えたものが一般的であるが、最近では、このオットマンを、足載台本体に下腿を挿入する凹状受部を形成させると共に該凹状受部の底面に指圧部材を出没自在に配設し、下腿の裏面に指圧マッサージを施すことができるようにしたオットマンを構成し、該足載台機構をマッサージ椅子に取付けたものが開発され、市場に出回っている。
【０００３】
この種のマッサージ椅子としては、例えば、特開２００４−２９０２１３号に開示されたようなものがあり、該マッサージ椅子は、図１６及び図１７に示したように、椅子座部の前部に足用マッサージユニット３０、すなわち、椅子座部の前部に足用マッサージユニット３０、４０を配備したものであり、この足用マッサージユニット３０、４０は、被施療者のふくらはぎ又は足先を収容する凹状受部３２、４２をそれぞれ有するとともに、該凹状受部３２、４２の底面において指圧突起９４をそれぞれ設けた底面エアバック３７、４７を具えている。該底面エアバック３７、４７の膨張と収縮により、ふくらはぎの後ろ側又は足裏を該指圧突起９４で指圧マッサージするよう構成している。
【特許文献１】特開２００４−２９０２１３号公報（第６頁、図１及び図３）
【発明の開示】
【発明が解決しようとする課題】
【０００４】
ところで、従来のマッサージ椅子においては、殆どの指圧部材が棒状であり、該指圧部材の小さな先端部が下腿のふくらはぎに押し当てられるため、この棒状の指圧部材の先端部と接した被施療部分に押圧力が集中してしまい、被施療者には局部的な強い指圧力が加わって不快な痛みを感じさせるという問題があった。
【０００５】
また当然のこととして、この種のマッサージ椅子においては、上述のようにマッサージ機として使用するのみならず、マッサージをしない場合においても居間等において普通の椅子として使用されるのであるが、そのような場合においては、オットマンに設けた凹状受部に下腿の動きが制約されて使い心地が悪いという問題もあった。
【０００６】
更に、オットマンに凹状受部が存在する関係で外観的に凸凹が多くなり、居間等において普通の椅子として使用する場合、他の家具との調和が図れずデザイン性において劣るという問題もあった。
【０００７】
本発明は、上記問題を解決するためになされたもので、マッサージ時に不快な痛みを感じることがなく、且つ、通常の椅子として使用する場合における使い心地の悪さを改善し、しかも、他の家具との調和のとれたデザイン性の高いオットマンを備えているマッサージ椅子を提供することを目的とするものである。
【課題を解決するための手段】
【０００８】
すなわち、本発明のマッサージ椅子は、腰掛けの後部に起立状態から倒伏状態へ起倒自在に設けられた背凭れを配備すると共に、該腰掛けの前部に垂下状態から突出状態へ出没自在に設けられたオットマンを配備したマッサージ椅子であって、該マッサージ椅子のオットマンは、オットマンの骨組み形状を形成する天板と底板とを有する筐体フレームと、該筐体フレームの少なくとも上面に敷設されるクッション層と、これら筐体フレーム及びクッション層を被覆せしめた外装カバーとを備えたものであり、前記筐体フレームは、その幅方向に所定の長さを有する長孔状に形成された上面開口溝が穿設された天板と、該天板の底面を閉塞し得る底板とを有しており、該天板と底板間の内部には、前記天板の上面開口溝下部位置にその先端が臨み得るよう配備されて該上面開口溝から上方へ出没し、且つ前記筐体フレームの幅方向における施療者の左右両下腿に当接する長さの押圧線（線状の押圧面）を有する押圧施療子と、該押圧施療子の下部に配備されて該押圧施療子を上下方向に出没させるよう膨縮するエアバッグとが介設してあるものとしている。
【０００９】
また、本発明のマッサージ椅子は、前記オットマンの筐体フレームは、その幅方向に穿設された上面開口溝が長さ方向に二以上設けられた天板と該天板の底面を閉塞し得る底板とを有するものであり、該天板の各上面開口溝の下部位置には、各上面開口溝に先端が臨み得るよう配備された前記押圧施療子が各々介設されているものとしている。
【００１０】
さらに、本発明のマッサージ椅子は、前記オットマンの上面開口溝の左右には、押圧施療子を上下動自在に保持し得るガイド溝を備えた一対の案内ガイドが設けられているものとしている。
【００１１】
さらにまた、本発明のマッサージ椅子は、上面開口溝の内部周縁には、押圧施療子を上下動可能に保持すると共にその出没範囲を規制し得るガイド壁を備えた案内ガイドが設けられているものとしている。
【００１２】
また、本発明のマッサージ椅子は、前記オットマンの押圧施療子は、その下部に配備されたエアバッグによる出没を安定させると共にその出没範囲を規制し得る載置台が一体的に設けられたものとしている。
【００１３】
さらに、本発明のマッサージ椅子は、前記マッサージ椅子のオットマンは、オットマンが垂下状態以外の位置で前後方向にスライド移動可能に設けたものとしている。
【発明の効果】
【００１４】
よって、本発明のマッサージ椅子は、オットマンの骨組み形状を形成する天板と底板とを有する筐体フレームと、該筐体フレームの少なくとも上面に敷設されるクッション層と、これら筐体フレーム及びクッション層を被覆せしめた外装カバーとを備えたものであり、前記筐体フレームは、その幅方向に所定の長さを有する長孔状に形成された上面開口溝が穿設された天板と、該天板の底面を閉塞し得る底板とを有し、該天板と底板間の内部には、前記天板の上面開口溝下部位置にその先端が臨み得るよう配備されて該上面開口溝から上方へ出没し且つ前記筐体フレームの幅方向における施療者の左右両下腿に当接する長さの押圧面を有する押圧施療子と、該押圧施療子の下部に配備されて該押圧施療子を上下方向に出没させるよう膨縮するエアバッグとが介設してある構成にしているため、従来とは異なり、局部的な強い指圧力が加わって不快な痛みを感じさせることなく、所定の長さの押圧線（線状の押圧面）を有する押圧施療子によって施療者の左右両下腿に対してより広範囲に押圧マッサージを行うことができる。
【００１５】
さらに、本発明のマッサージ椅子は、前記のような構成にしている事で、マッサージをしない場合においてもオットマンにおける下腿の動きが制約されることがないため、通常の椅子としての使用ができるものであり、しかも、オットマンの形状が、外観的に凸凹の無い形状であるために、他の家具との調和のとれたデザイン性の高いマッサージ椅子を提供することができる。
【００１６】
また、本発明のマッサージ椅子は、上記したオットマンの筐体フレームは、その幅方向に穿設された上面開口溝が長さ方向に二以上設けられた天板と、該天板の底面を閉塞し得る底板とを有する筐体状のものであり、該天板の各上面開口溝の下部位置には、各上面開口溝に先端が臨み得るよう配備された前記押圧施療子が各々介設されている構成にしているため、施療者の両下腿長さ方向に対して広範囲に押圧マッサージを行うことができる。
【００１７】
さらに、本発明のマッサージ椅子は、前記オットマンの上面開口溝の左右に、押圧施療子を上下動自在に保持し得るガイド溝を備えた一対の案内ガイドが設けられている構成にしているため、押圧施療子を案内ガイドで案内させながら上面開口溝に対して位置ズレさせることなくスムーズに押圧施療子を出没動作させることができ、押圧施療子の出没動作に伴う上面開口溝との摺動による摩擦を可及的に抑えられるため、該押圧施療子の出没動作を安定させることが可能となる。
【００１８】
さらにまた、本発明のマッサージ椅子は、前記オットマンの上面開口溝の内部周縁には、押圧施療子を上下動可能に保持すると共にその出没範囲を規制し得るガイド壁を備えた案内ガイドが設けられている構成にしているため、押圧施療子が、案内ガイドのガイド壁内部周縁に沿って案内され、上面開口溝に対して位置ズレすることなくスムーズに押圧施療子を出没動作させることができ、押圧施療子の出没動作に伴う上面開口溝との摺動による摩擦を可及的に抑えられるため、該押圧施療子の出没動作を安定させることが可能となる。
【００１９】
また、本発明のマッサージ椅子は、前記オットマンの押圧施療子を、その下部に配備されたエアバッグによる出没を安定させると共にその出没範囲を規制し得る載置台が一体的に設けられたものとして構成しているため、押圧施療子の押圧動作が常時安定すると共に、エアバッグの膨縮作用が効率よく押圧施療子に伝達することになる。
【００２０】
さらに、本発明のマッサージ椅子は、前記マッサージ椅子のオットマンを、オットマンが垂下状態以外の位置で前後方向にスライド移動可能に設けたものとして構成しているため、施療者の下腿の長さ方向において所望する位置に押圧施療子が位置するよう調節することができ、また、このオットマンを徐々に位置をずらして移動させたり、或いは段階的に位置をずらして移動させたりしながら押圧施療子の出没動作させることにより、下腿全体を満遍なく施療できるものとなる。また、通常の椅子として使用する場合は、前記と同様にオットマンを移動させて調整することで、施療者の体型（足の長さや身長等）の個人差に対応させることができるものとなる。
【発明を実施するための最良の形態】
【００２１】
以下に、本発明のマッサージ椅子を、図面に示す一実施形態に基づきこれを詳細に説明する。
図１乃至図４は本発明のマッサージ椅子の一実施形態を示す側面斜め上方から視た全体図であり、図５は本発明におけるマッサージ椅子の背凭れを起立させると共にオットマンを垂下させた状態の一実施形態を示す右側面図であり、図６は本発明におけるマッサージ椅子の背凭れを倒伏させると共にオットマンを突出させた状態の一実施形態を示す使用状態図であり、図７は本発明におけるマッサージ椅子の背凭れを腰掛けに重合させた状態の一実施形態を示す右側面図であり、図８は本発明におけるマッサージ椅子のオットマンをスライド移動させた状態の一実施形態を示す右側面図であり、図９は本発明におけるマッサージ椅子の背凭れ及びオットマンを連動させた状態の一実施形態を示す右側面図であり、図１０は本発明におけるマッサージ椅子のオットマン内部の一実施形態を示す部分断面右側面図であり、図１１は本発明におけるマッサージ椅子の押圧施療子が開口内部に納まった状態の一実施形態を示す部分断面図であり、図１２は本発明におけるマッサージ椅子の押圧施療子が開口から突出した状態の一実施形態を示す断面説明図であり、図１３は本発明におけるマッサージ椅子の押圧施療子が開口内部に納まった状態の他の実施形態を示す部分断面図であり、図１４は本発明におけるマッサージ椅子の押圧施療子が開口から突出した状態の他の実施形態を示す断面説明図であり、図１５は本発明におけるマッサージ椅子の一実施形態を示す正面図であり、図１６は本発明におけるマッサージ椅子のオットマンが内部のエアバッグが分割されているオットマンである場合の一実施形態を示す表面図であり、図１７は本発明におけるマッサージ椅子におけるオットマン内部の押圧施療子が分割されているオットマンの一実施形態を示す表面図であり、図１８は本発明のマッサージ椅子のオットマンにおける内部構成の一実施形態を示す分解図である。
【００２２】
図１、図５及び図６に示すように、本実施形態のマッサージ椅子Ａは、腰掛け５の後部に起立状態から倒伏状態へ起倒自在に設けられた背凭れ４を配備すると共に、該腰掛け５の前部に垂下状態から突出状態へ出没自在に設けられたオットマン６を配備したものである。
【００２３】
すなわち、該マッサージ椅子Ａは、その左右幅方向において直線状に延びる支持パイプ１と、該支持パイプ１の中央下部に設けられ床面に接する円形のベース２と、支持パイプ１の両端上部にそれぞれ立設させた左右一対のひじ掛け３と、該ひじ掛け３の後部においてリクライニング機構により傾動自在に設けられた背凭れ４と、該背凭れ４の下端において前後方向に回動可能に連繋された腰掛け５と、該腰掛け５の前端において上下方向に回動可能に設けられたオットマン６とから構成されている。
【００２４】
前記背凭れ４と前記腰掛け５は、中空箱状の筐体フレームにスポンジゴム等のクッションを保持させてカバーで覆った構成となっており、内部にはマッサージ機構（図示省略）が設けられている。マッサージ機構としては、ローラ等を機械的に運動させる構成やエアバッグを空気の給排気により膨張収縮させる構成等が採用できる。
【００２５】
前記背凭れ４は、その幅方向に配置された支軸７を介して前記各ひじ掛け３，３に傾動自在に枢支されており、起立状態（直立状態）から後方への倒伏状態までのリクライニング範囲において、傾斜角度を調節することができる。
【００２６】
加えて、図７に示すように前記背凭れ４を前方へ傾動させて前記腰掛け５と重合させるような二つ折り状態にすることも可能である。尚、この場合は背凭れ４の下端で腰掛け５を回動可能に連繋させた部分の連繋を離脱させて行われる。
【００２７】
前記腰掛け５は、前記支持パイプ１の中央から前方へ延設するスライド機構５ａにより、前後方向に移動可能となっている。
【００２８】
よって、前記背凭れ４を起立状態から後方へ傾動させる場合、前記支軸７よりも背凭れ４における上部分は後方へ傾くことになるが、逆に前記支軸７よりも背凭れ４における下部分は前方へ突出することになるため、前記腰掛け５は前記オットマン６と共に前記スライド機構５ａによって前方へ押し出されるような動作となる。
【００２９】
尚、前記背凭れ４と前記オットマン６とが連動するようにするために、図９に示すようなリンク機構６ａを設けてもよい。
【００３０】
前記オットマン６は、図８に示すように、オットマン６が垂下状態以外の位置で前後方向にスライド移動機構によりスライド移動を可能としている。すなわち、前記スライド移動機構は、オットマン６の下面に配備されるレール部材８と、該レール部材８にスライド自在に外嵌したスライドハウジング１０とを設けて構成されている。
【００３１】
また、前記レール部材８は、その基端に設けた回動機構であるヒンジ軸９により上下方向に回動するよう構成している。
【００３２】
これにより、前記オットマン６は、前記腰掛け５に対して上下方向に回動することができるとともに、前後方向にスライド移動することができるのである。
【００３３】
前記オットマン６には、前記レール部材８の所望位置に節度をもって係止させる係止機構（図示省略）が設けられている。この係止機構は、例えば、オットマン６の下面に取付けられたスライドハウジング１０に貫通孔を設け、この貫通孔内のレール部材８側にスプリングを介して鋼球（ボール）を設けるとともに、前記貫通孔内の他方側に埋込ネジを螺挿した構成となっており、該鋼球をスプリングによりレール部材８に付勢させることによって、オットマン６をレール部材８に節度を持って係止される。
【００３４】
前記背凭れ４の前記リクライニング機構や前記腰掛け５のスライド機構５ａ、また前記オットマン６の回動機構やオットマン６のスライド移動機構に、それぞれ油圧シリンダや電動アクチュエータを適宜に採用することができる。
【００３５】
而して、上記構成からなるマッサージ椅子Ａにおいて、本発明の主たる特徴はマッサージ椅子のオットマン６であり、該オットマン６について以下に詳細に説明する。
【００３６】
前記オットマン６は、図２、図１０及び図１８に示すように、オットマン６の骨組み形状を形成する天板１１ａと底板１９とを有する筐体フレーム１１と、該筐体フレーム１１の少なくとも上面に敷設されるクッション層１２と、これら筐体フレーム１１及びクッション層１２を被覆せしめた外装カバー１３とを備えている。
【００３７】
また、前記筐体フレーム１１は、前述したように、オットマン６の骨組み形状を形成する天板１１ａと底板１９とを有する構成のものであるが、該天板１１ａには、その幅方向に所定の長さを有する長孔状に形成した開口部１４の上面開口溝１６ａが穿設されており、前記底板１９により天板１１ａの底面を閉塞し得る構成にしたものを例示している。
【００３８】
ここで、前記上面開口溝１６ａの両端部の位置は、前記筐体フレーム１１の側端部付近まで延びた位置とし、前記筐体フレーム１１の幅方向において施療者の左右両下腿が十分に当接する広い幅（横長）になるように上面開口溝１６ａが形成されている。
【００３９】
さらに、前記筐体フレーム１１の天板１１ａと底板１９間の内部には、押圧施療子１５とエアバッグ１８が介設されており、該押圧施療子１５は、板状に形成された板状部材からなり、前記天板１１ａの上面開口溝１６ａの下部位置にその先端が臨み得るよう配備されて該上面開口溝１６ａから上方へ出没可能に突出し得るものであり、前記エアバッグ１８は、前記押圧施療子１５の下部に配備されてエア供給源からのエア給排によりこれを膨縮させて、上部の押圧施療子１５を上下方向に出没させることができるようにしている。
【００４０】
尚、前記筐体フレーム１１及びクッション層１２及び外装カバー１３とで構成された前記オットマン６の下腿の載置面となる表面は平坦に形成している。
【００４１】
また、前記オットマン６の前記筐体フレーム１１は、図１０及び図１５に示したように、その幅方向に穿設された前記上面開口溝１６ａを長さ方向に二以上設けた天板１１ａと、該天板１１ａの底面を閉塞し得る底板１９とを有するものとして構成することができる。
【００４２】
この場合、該天板１１ａの各上面開口溝１６ａの下部位置に、各上面開口溝１６ａに先端が臨み得るよう配備されて上方へ出没可能に突出し得る板状部材からなる押圧施療子１５やエアバッグ１８が各々介設されるものであり、各々の押圧施療子１５・１５は、各エアバッグ１８・１８の膨縮により上下方向に出没させることができるようにしている。
【００４３】
前記筐体フレーム１１は、好ましい強度を有する硬質合成樹脂（例えばＡＢＳ樹脂等）によって形成され、前記クッション層１２は、例えば適度なクッション性を有するウレタンフォーム、スポンジ等によって形成されている。また、前記外装カバー１３は、例えば適度な伸縮性を有する合成皮革、天然皮革、化繊や布帛等の織布材、合成樹脂シート等によって形成できる。
【００４４】
前記押圧施療子１５は、前記開口部１４の開口形状と略同形状となるように形成すると共に、前記筐体フレームの幅方向において、少なくとも施療者の左右両下腿に当接する長さ、または左右両下腿に当接する長さ以上の押圧線（線状の押圧面）を有すものであり、このような所定の長さの（線状の押圧面）を有する押圧施療子にすることによって、施療者の左右両下腿に対してより広範囲に押圧マッサージを行うことができるものとなる。
【００４５】
前記オットマン６の開口部１４には、図１５に示したように、その幅方向左右両側に押圧施療子１５を上下動自在に保持し得るガイド溝１６ｂを備えた一対の案内ガイド１６・１６が設けられている。
【００４６】
そして、この左右一対の案内ガイド１６・１６により押圧施療子１５を保持しながら案内させて上面開口溝１６ａからスムーズに出没動作させるようにしている。
【００４７】
また、前記左右一対の各案内ガイド１６・１６は、図１５に示すように、前記上面開口溝１６ａの左右両端において、前記オットマン６の厚さ方向に配備させると共に横断面がコ字形状のガイド溝１６ｂが形成されており、両案内ガイド１６・１６は、各ガイド溝１６ｂ・１６ｂが互いに対向するよう配置されている。
【００４８】
前記押圧施療子１５は、その左右両端部を前記左右一対の各案内ガイド１６・１６のガイド溝１６ｂ・１６ｂ内に嵌入されており、これによって、押圧施療子１５は、左右一対の案内ガイド１６に沿って上下動可能に保持されることになる。
【００４９】
尚、本実施例では、図１１・図１２及び図１５に示したように、前記オットマン６の上面開口溝１６ａにおいて、該上面開口溝１６ａの左右両端に横断面がコ字状のガイド溝１６ｂを備えた案内ガイド１６が対をなして設けられた構成のものを例示したが、他の実施例としては、図１３・図１４に示したような、上面開口溝１６ａの内部周縁全体或いは内部周縁部分に前記押圧施療子１５を上下動自在に保持し得るガイド壁を備えた環状の案内ガイドが設けられたものとして構成したものであってもよい。
【００５０】
尚、この場合、左右一対の案内ガイド１６を上面開口溝１６ａの左右両端に設けた場合と比べ、押圧施療子１５の上面開口溝１６ａからの突出量がガイド壁により小さく抑えられる。
【００５１】
また、施療者の下腿の長さ方向に二つ（又は二以上）の上面開口溝１６ａ設けられている場合においても、双方（又は全て）に横断面がコ字状のガイド溝１６ｂを備えた左右一対の案内ガイド１６、又はガイド壁を備えた環状の案内ガイド１６を設けるものとして構成としてもよいし、一方（又は交互或いは不特定）に横断面がコ字状のガイド溝１６ｂを備えた左右一対の案内ガイド１６を設けると共に他方（又は交互或いは不特定）に環状の案内ガイドを設け、長さ方向に設けられた二つ（又は二以上）の上面開口溝１６ａにおける押圧施療子１５の突出量を異ならせるものとして構成してもよい。
【００５２】
前記オットマン６の押圧施療子１５は、本実施例では、図１８に示したような、押圧施療子１５の下部に配備されたエアバッグ１８による押圧施療子１５の出没を安定させると共にその出没範囲を規制し得るよう、載置台１７が一体的に形成された押圧施療子１５が採用されている。尚、この載置台１７は、必ずしも押圧施療子１５と一体的に形成される必要はなく、別体として形成されたものを一体的に取付けたものであってもよい。
【００５３】
すなわち、前記押圧施療子１５は、平面視矩形状の板状部材からなる載置台１７上に設けられており、該載置台１７の下面に膨張収縮（膨縮）可能な前記エアバッグ１８が配設されており、該エアバッグ１８を膨張収縮させることによって、載置台１７を介して押圧施療子１５が左右一対の前記案内ガイド１６に沿って安定した状態で上下動を行い、図１１及び図１２に示すような形態で前記上面開口溝１６ａから出没するのである。
【００５４】
よって、前記押圧施療子１５は、エアバッグ１８が収縮した状態では、図１１及び図１３に示すように、前記上面開口溝１６ａから下方に退没して、着座する施療者の下腿のふくらはぎ等の部位に当たらないような状態になり、エアバッグ１８が膨張した状態では、図１２及び図１４に示すように、前記上面開口溝１６ａから安定した状態で上方に突出して、着座する施療者の下腿のふくらはぎ等の施療部位に当たる状態になるのであり、このような、エアバッグ１８の収縮及び膨張を断続的或いは連続的に行わせることで押圧施療子１５は退没状態や突出状態を断続的或いは連続的に行い、施療者の左右両下腿等の広範囲の施療部位に押圧線（線状の押圧面）による広範囲の押圧マッサージを断続的又は連続的に行わせることができるのである。
【００５５】
前記エアバッグ１８は、例えば合成樹脂ポリプロピレン等でブロー成形によって形成され、空気供給源からの空気の供給排気により膨縮するようになっている。また、このエアバッグ１８は、ホース（図示せず）と切替バルブ（図示せず）を介してエアポンプ（図示せず）に接続されている。
【００５６】
前記切替バルブは、前記エアバッグ１８と前記エアポンプを連通するか、この連通を遮断してエアバッグ１８を大気中と連通するかを切替えるものであって、エアバッグ１８とエアポンプを連通すると、エアポンプからの空気の供給によりエアバッグ１８が膨張し、エアバッグ１８を大気中と連通すると、エアバッグ１８内の空気が大気中に排気されてエアバッグ１８が収縮される。
【００５７】
このような構成により本発明のマッサージ椅子Ａは、前記エアポンプの作動による前記エアバッグ１８の膨縮により、施療者の左右両下腿等の施療部位に当接する一定幅と一定長さの押圧線（線状の押圧面）を有する押圧施療子１５が前記開口部１４から断続的或いは連続的に出没動作を行って、着座する施療者の下腿のふくらはぎを押圧施療子１５で断続的或いは連続的に押圧マッサージすることができるのである。
【００５８】
また、前記オットマン６の前後において平行に設けた前記各押圧施療子１５をそれぞれ同期に出没させるだけでなく前後交互に出没させることも可能であり、また押圧施療子１５の突出を一定時間保持させることもできる。これらの動作は前記切替バルブや前記エアポンプを制御するための電子回路からなる制御手段（図示せず）により制御される。
【００５９】
さらに、図１６に示すように、前記押圧施療子１５を出没させる前記エアバッグ１８を左右に分割配置させ、左右の各エアバッグ１８・１８を独立的に膨縮させることも可能である。
【００６０】
さらにまた、図１７に示すように、前記押圧施療子１５を左右に分割配置させ、前記左右の各エアバッグ１８・１８により夫々左右の各押圧施療子１５・１５を独立的に膨縮させることも可能である。
【００６１】
このように構成することにより、例えば、前記オットマン６の前後に平行して並設する各押圧施療子１５・１５のうち、前側の押圧施療子１５の右側のエアバッグ１８を膨張させると同時に後側の押圧施療子１５の右側のエアバッグ１８を膨張させ、次に、前側の押圧施療子１５の左側のエアバッグ１８を膨張させると同時に後側の押圧施療子１５の左側のエアバッグ１８を膨張させるようにすれば、前後左右の各押圧施療子１５・１５下腿等の施療部位を左右交互に押圧マッサージさせることができる。
【００６２】
他にも、前側の押圧施療子１５の左側のエアバッグ１８を膨張させると同時に後側の押圧施療子１５の右側のエアバッグ１８を膨張させ、次に、前側の押圧施療子１５の右側のエアバッグ１８を膨張させると同時に後側の押圧施療子１５の左側のエアバッグ１８を膨張させるようにすれば、施療部位に前後及び左右交互に比較的細やかな感覚の押圧マッサージが行えるのである。
【００６３】
特に、図１７に示したように、前記押圧施療子１５を左右に分割配置させると共にこれらを出没させるエアバッグ１８をも左右に分割配置させたものを使用するにあっては、前側の押圧施療子１５の左側のエアバッグ１８だけを膨張させ、この左側のエアバッグ１８を収縮させた後、前側の押圧施療子１５の右側のエアバッグ１８だけを膨張させ、この前側の押圧施療子１５の右側のエアバッグ１８を収縮させた後、再度前側の押圧施療子１５の左側のエアバッグ１８を膨張させるという動作や、後側の押圧施療子１５の左側のエアバッグ１８だけを膨張させ、この左側のエアバッグ１８を収縮させた後、後側の押圧施療子１５の右側のエアバッグ１８だけを膨張させ、この後側の押圧施療子１５の右側のエアバッグ１８を収縮させた後、再度後側の押圧施療子１５の左側のエアバッグ１８を膨張させるという動作も可能であり、施療部位に前後単独で左右交互に比較的緩やかな感覚の押圧マッサージが行える。
【００６４】
また、図１７のものにおいては、前側の押圧施療子１５の左側のエアバッグ１８だけを膨張させ、この左側のエアバッグ１８を収縮させた後、前側の押圧施療子１５の右側のエアバッグ１８だけを膨張させ、この前側の押圧施療子１５の右側のエアバッグ１８を収縮させた後、後側の押圧施療子１５の左側のエアバッグ１８だけを膨張させ、この左側のエアバッグ１８を収縮させた後、後側の押圧施療子１５の右側のエアバッグ１８だけを膨張させ、この後側の押圧施療子１５の右側のエアバッグ１８を収縮させた後、再度前側の押圧施療子１５の左側のエアバッグ１８を膨張させるという動作も可能であり、施療部位に前後及び左右交互に比較的緩やかな感覚の押圧マッサージが行える。
【００６５】
尚、図３及び図４に示すように、前記押圧施療子１５によるマッサージ機構は、前記背凭れ４や前記腰掛け５にも適宜適用できるものであり、また、図示していないが、首部等にも適用できるものである。
【００６６】
例えば、図３に示したものは、前記押圧施療子１５によるマッサージ機構を内蔵する前記筐体フレーム１１を腰掛け５に内装した場合を例示しており、これによれば、押圧施療子１５により太腿裏等の施療部位を押圧マッサージすることができる。
【００６７】
また、図４に示したものは、前記押圧施療子１５によるマッサージ機構を内蔵する前記筐体フレーム１１を背凭れ４の下部に内装した場合を例示しており、これによれば、押圧施療子１５により腰部等の施療部位を押圧マッサージすることができるものとなる。
【図面の簡単な説明】
【００６８】
【図１】本発明のマッサージ椅子の一実施形態を示す側面斜め上方から視た全体図である。
【図２】本発明のマッサージ椅子の一実施形態を示す側面斜め上方から視た全体図である。
【図３】本発明のマッサージ椅子の一実施形態を示す側面斜め上方から視た全体図である。
【図４】本発明のマッサージ椅子の一実施形態を示す側面斜め上方から視た全体図である。
【図５】本発明におけるマッサージ椅子の背凭れを起立させると共にオットマンを垂下させた状態の一実施形態を示す右側面図である。
【図６】本発明におけるマッサージ椅子の背凭れを倒伏させると共にオットマンを突出させた状態の一実施形態を示す使用状態図である。
【図７】本発明におけるマッサージ椅子の背凭れを腰掛けに重合させた状態の一実施形態を示す右側面図である。
【図８】本発明におけるマッサージ椅子のオットマンをスライド移動させた状態の一実施形態を示す右側面図である。
【図９】本発明におけるマッサージ椅子の背凭れ及びオットマンを連動させた状態の一実施形態を示す右側面図である。
【図１０】本発明におけるマッサージ椅子のオットマン内部の一実施形態を示す部分断面右側面図である。
【図１１】本発明におけるマッサージ椅子の押圧施療子が開口内部に納まった状態の一実施形態を示す部分断面図である。
【図１２】本発明におけるマッサージ椅子の押圧施療子が開口から突出した状態の一実施形態を示す断面説明図である。
【図１３】本発明におけるマッサージ椅子の押圧施療子が開口内部に納まった状態の他の実施形態を示す部分断面図である。
【図１４】本発明におけるマッサージ椅子の押圧施療子が開口から突出した状態の他の実施形態を示す断面説明図である。
【図１５】本発明におけるマッサージ椅子の一実施形態を示す正面図である。
【図１６】本発明におけるマッサージ椅子におけるオットマン内部のエアバッグが分割されているオットマンの一実施形態を示す表面図である。
【図１７】本発明におけるマッサージ椅子におけるオットマン内部の押圧施療子が分割されているオットマンの一実施形態を示す表面図である。
【図１８】本発明のマッサージ椅子のオットマンにおける内部構成の一実施形態を示す分解図である。
【図１９】従来技術を示す参考図である。
【図２０】従来技術を示す参考図である。
【符号の説明】
【００６９】
Ａ マッサージ椅子
１ 支持パイプ
２ ベース
３ ひじ掛け
４ 背凭れ
５ 腰掛け
５ａ スライド機構
６ オットマン
６ａ リンク機構
７ 支軸
８ レール部材
９ ヒンジ軸
１０ スライドハウジング
１１ 筐体フレーム
１１ａ 天板
１２ クッション層
１３ 外装カバー
１４ 開口部
１５ 押圧施療子
１６ 案内ガイド
１６ａ 上面開口溝
１６ｂ ガイド溝
１７ 載置台
１８ エアバッグ
１９ 底板
【図１】
2008167767.tif 000003
【図２】
2008167767.tif 000004
【図３】
2008167767.tif 000005
【図４】
2008167767.tif 000006
【図５】
2008167767.tif 000007
【図６】
2008167767.tif 000008
【図７】
2008167767.tif 000009
【図８】
2008167767.tif 000010
【図９】
2008167767.tif 000011
【図１０】
2008167767.tif 000012
【図１１】
2008167767.tif 000013
【図１２】
2008167767.tif 000014
【図１３】
2008167767.tif 000015
【図１４】
2008167767.tif 000016
【図１５】
2008167767.tif 000017
【図１６】
2008167767.tif 000018
【図１７】
2008167767.tif 000019
【図１８】
2008167767.tif 000020
【図１９】
2008167767.tif 000021
【図２０】
2008167767.tif 000022